(57)【要約】【課題】ランプのアライメントズレを補正し、光学系の光軸と平行な光線を射出することで、第二フライアイレンズ付近でできる光源像のケラレによる光量低下を防ぎ、かつ照明エリアのエッジを立たせて色むらのない明るい投射型表示装置を実現するためのランプ調整機構をもった投射型表示装置。【解決手段】  光源と反射鏡からなり、主光線が略平行な光線を射出するランプ手段を備えた投射型表示装置において、該ランプ手段と光学系を保持接続する機構を持ち、該ランプ手段から射出される該平行光が該光学系の光軸に対してすくなくとも直交する面内の２方向に回転できる角度調整機構を有していることを特徴とする投射型表示装置。【選択図】        図２
2006133656.tif 000002
【特許請求の範囲】
【請求項１】
光源と反射鏡からなり、主光線が略平行な光線を射出するランプ手段を備えた投射型表示装置において、該ランプ手段と光学系を保持接続する機構を持ち、該ランプ手段から射出される該平行光が該光学系の光軸に対してすくなくとも直交する面内の２方向に回転できる角度調整機構を有していることを特徴とする投射型表示装置。
【請求項２】
該光源と該反射鏡とベース部材からなり、該反射鏡と該ベース部材とを光軸に対して平行な方向に加圧保持する手段をもち、該反射鏡部材と該ベース部材のどちらかに斜面が構成され、該斜面と同じ角度を持つ斜面を持った調整部材を該反射鏡部材と該ベース部材の間に挿入し、可動させることで該ホルダ部材と該ベース手段のなす角度を可変させることができる調整機構をもつ請求項１に記載の投射型表示装置。
【請求項３】
該光源と該反射鏡を保持するホルダ部材とそれらを保持するベース部材からなり、該ホルダ部材と該ベース部材とを光軸に対して平行な方向に加圧保持する手段をもち、該ホルダ部材と該ベース部材のすくなくとも１面に斜面が構成され、該斜面と同じ角度を持つ斜面を持った調整部材を該ホルダと該ベース部材の間に挿入し、可動させることで該ホルダ部材と該ベース手段のなす角度を可変させ、該光源と該反射鏡を該光軸に対して回転させることができる機構をもつ投射型表示装置。
【請求項４】
該光源と該反射鏡を保持するホルダ部材とそれらを保持するベース部材からなり、ホルダ部材とベース部材にそれぞれ球状の一部からなる軸および軸受け部を持ち、該ホルダ部材と該ベース部材とを光軸に対して平行な方向に加圧保持する手段をもち、該ホルダ部材と該ベース部材のすくなくとも１面に斜面が構成され、該斜面と同じ角度を持つ斜面を持った調整部材を該ホルダと該ベース部材の間に挿入し、可動させることで該ホルダ部材と該ベース手段のなす角度を可変させ、該光源と該反射鏡を該光軸に対して回転させることができる機構をもつ投射型表示装置。
【請求項５】
該光源と該反射鏡を保持するホルダ部材とそれらを保持するベース部材からなり、ホルダ部材とベース部材にそれぞれ球状の一部からなる軸および軸受け部を持ち、該ホルダ部材と該ベース部材とを光軸に対して平行な方向に加圧保持する手段をもち、該ホルダ部材と該ベース部材のすくなくとも１面に斜面が構成され、該ホルダ部材と該ベース部材のうちどちらかの部材にねじ穴が存在し、ねじを該ホルダと該ベース部材の間に挿入し、ねじを回転させ可動させることで該ホルダ部材と該ベース手段のなす角度を可変させ、該光源と該反射鏡を該光軸に対して回転させることができる機構をもつ投射型表示装置。
【請求項６】
請求項１〜５いずれかに記載の投射型表示装置において、ランプを回転可動させる調整駒は固定部材によって固定保持できることを特徴とする投射型表示装置。
【請求項７】
請求項１〜６いずれかに記載の投射型表示装置において、ランプ手段が楕円鏡と光源と負のパワーを持ったレンズからなるランプ手段であることを特徴とする投射型表示装置。
【発明の詳細な説明】
【技術分野】
【０００１】
本発明は投射型表示装置に関するものである。
【背景技術】
【０００２】
液晶プロジェクタにおいてはランプの高輝度化に伴い、製品自体の高輝度化がすすんできている。しかしながら従来の液晶プロジェクタの光学系においてはランプの発光エネルギーを充分スクリーンまで到達させるに至っておらず、光学エンジンの各部での光量損失がある。特にランプの周辺においては光源と反射鏡の位置関係のばらつきによって、光学エンジンの光軸に沿った平行光が出射されないことがある。
【０００３】
一般的に液晶プロジェクタにおいてはランプの照明ムラを投影画面上に投影しないようにフライアイインテグレータレンズを用いることにより、均一照明を行っている。しかしながらフライアイインテグレータレンズを有する光学系とランプから出射される主光線の軸が平行でないと、インテグレータによる第一の結像位置による光源像のできる位置が設計値と異なる。
【０００４】
一般的にインテグレータレンズは複数枚用いることが多く、光源に近い側から第一のフライアイレンズ、第二のフライアイレンズを有する。第二のフライアイレンズの付近に第一の光源の結像位置が存在する。このとき、光源と反射鏡の位置にズレを生じフライアイインテグレータレンズを有する光学系とランプから出射される主光線の軸が平行でないと、第二フライアイレンズの入射されるべき目の隣の目に光線が入射してしまい、光量落ち、色むらが発生したり、液晶パネル部の照明エリアの調整調整において調整時の作業性が悪くなるなどの問題があった。
【０００５】
また、液晶プロジェクタでは偏光を用いているため、第二フライアイレンズ近傍にはＰＳ変換素子が使用されており、フライアイレンズに入射する光が光軸に対して平行でないと偏光変換効率が悪くなり、液晶パネルの入射側偏光板の温度が上昇したり、またＰＳ変換素子のマスク部材により光源像が蹴られてＰＳ素子付近の雰囲気温度が上昇することがあった。
【０００６】
よって理想的にはこれらのＰＳ遮光マスクを使用しないかマスクの開口を充分大きくし、ランプから出射される光をより光軸に平行にし、偏光変換素子に入射する光線角度がなるべく設計値以上にならないように入射することが重要である。従来例として特許文献１にはランプを左右方向に調整する例があるが、これらの諸問題すべての開示はなく、図１６に示すように主に光量とムラを改善するためにＰＳ素子およびマスクの形状に垂直な方向である左右方向に振る機構を紹介している。
【特許文献１】特開２００２−２４４２０４号公報
【発明の開示】
【発明が解決しようとする課題】
【０００７】
上記の問題を解決するために、本発明はＰＳ遮光マスクを廃止するか、開口部を十分広く設定した場合に照明光軸に平行な光線を入射できるようにランプ手段を光軸に対して上下左右に調整することを提案する。つまりランプ手段のリフレクタから出射される光の主光線が照明光学系の光軸と一致するようにランプ手段を回転調整し、光軸調整をおこなう。調整方向は光軸に垂直な平面における２方向に回転できるようにすることにより、碁盤の目状に配列されたフライアイレンズにおいて、ランプから出射される光を設計値に近い平行光に変えることができる結果、フライアイレンズの隣の目にはいらないため、光量落ちやムラ、各部の温度が改善される。また、アライメントズレによる明るさの平均値のばらつきを抑えて、明るいプロジェクタを提供することができる。
【課題を解決するための手段】
【０００８】
この発明は下記の構成を備えることにより上記課題を解決できるものである。
【０００９】
（１）光源と反射鏡からなり、主光線が略平行な光線を射出するランプ手段を備えた投射型表示装置において、該ランプ手段と光学系を保持接続する機構を持ち、該ランプ手段から射出される該平行光が該光学系の光軸に対してすくなくとも直交する面内の２方向に回転できる角度調整機構を有していることを特徴とする投射型表示装置。
【発明の効果】
【００１０】
本発明はＰＳ遮光マスクを廃止するか、開口部を十分広く設定した場合に照明光軸に平行な光線を入射できるようにランプ手段を光軸に対して上下左右に調整することを提案した。つまりランプ手段のリフレクタから出射される光の主光線が照明光学系の光軸と一致するようにランプ手段を回転調整し、光軸調整をおこなう。調整方向は光軸に垂直な平面における２方向に回転できるようにすることにより、碁盤の目状に配列されたフライアイレンズにおいて、ランプから出射される光を設計値に近い平行光に変えることができる結果、フライアイレンズの隣の目にはいらないため、光量落ちやムラ、各部の温度が改善される。また、アライメントズレによる明るさの平均値のばらつきを抑えて、明るいプロジェクタを提供することができる。
【発明を実施するための最良の形態】
【００１１】
以下本発明を実施するための最良の形態を、実施例により詳しく説明する。
【実施例１】
【００１２】
本発明の第一の実施例である、投射型表示装置の上面図を図２に示す。１は光源であり、例えば高輝度超高圧ランプ、メタルハライドランプ等を含む。ランプを出た光はリフレクタ２により反射し、碁盤の目状に配置されたレンズ群の集まりである第一フライアイレンズ３に入力され、全反射ミラー５により反射された光は、さらに第２フライアイレンズ４により集光された各光束は偏光変換素子６に入射し、偏光方向がそろえられた光は、コンデンサレンズ７により集光され、次に青周波数帯域を反射するダイクロイックミラー８に導かれる。
【００１３】
光路長さを短くする効果のある凹レンズ１０を透過した青色光は、全反射ミラー１１により反射させられ、フィールドレンズ２０及び入射側偏光板２３を透過し青色パネル２６に到達する。青反射ダイクロ８を透過した光は緑周波数帯域を反射するダイクロイックミラーによって緑光と赤光に分離される。反射された緑色光はフィールドレンズ１９及び入射側偏光板２２を透過し色パネル２５に到達する。透過した赤色光は赤透過ダイクロイックフィルタによって不要な光を除去し、フィールドレンズ１４、１８、リレーレンズ１６、全反射ミラー１５，１７によって赤入射偏光板１８を透過した後、液晶パネルに到達する。
【００１４】
液晶パネルに到達した光は、液晶パネルにて画像信号に対応した光強度に変調された後、透過後、出射側偏光板２７、２８、２９を透過し、ダイクロイック膜を蒸着したクロスプリズム２７で色合成される。さらにプリズムを出射した光は投射レンズ３１によってスクリーン上に拡大投影される。
【００１５】
図３は光源とリフレクタからなるランプ手段について、詳細を示したものである。光源であるライトバルブ４３は反射鏡であるリフレクタ４４に耐熱性の接着手段である、たとえば石膏などで接着固定される接着固定部４６を持っている。図４の４７に示す実際の光源４５と反射鏡４４のズレを以後アライメントズレと呼ぶ。ライトバルブ４３とリフレクタ４４は調整固定されても製作誤差によりアライメントズレはゼロにはならない。さらにリフレクタを固定するホルダに取り付ける際に取り付け誤差が生じる。さらにランプ一般的に交換式となっているため、製品の光学系との取り付け部とランプ部の接続部分において誤差が生じる。これらの誤差により、製品の光学系の光軸とランプリフレクタから射出される平行光の光軸が一致しなくなる。
【００１６】
これにより第一フライアイレンズ及び第二フライアイレンズによって結像される第一の光源像が設計位置よりずれる結果となる。さらに第一フライアイレンズの目とこれに対応する第二フライアイレンズの目に光線が入らず、第二フライアイレンズの別の目に光が入射してしまう恐れがある。
【００１７】
この様子を示したのが図５である。格子状に描かれているのがフライアイレンズの目４８であり、その中の楕円形４９が第二フライアイレンズ近傍の光源像４９である。フライアイレンズインテグレータを出射した光は液晶パネル面において再び結像するが、図５の右図に示したように第二フライアイレンズの入射されるべき目の隣の目に光線が入射した場合は、液晶パネル上において図６左に示すように液晶パネルの正規の照明位置５２の隣５３を照明してしまう。これによって液晶パネルの表示エリア５１に光線が入射しない光が発生するために投影される映像の光量が減ってしまう。
【００１８】
図７は上下のアライメントズレ量に対する光量を落ちを示している。この現象は反射鏡と光源の関係が光軸に対して上下にずれた場合も左右にずれた場合も同様に発生する。さらに、これらの光がゴーストの原因になったり、光によって部品が劣化する問題がある。
【００１９】
また、液晶プロジェクタにおいては、照明系の液晶表示面において結像される照明表示エリア５２（以下照明エリアと呼ぶ）は液晶表示面５１よりもわずかに大きく設定されている。これは光学系の倒れや接着の公差を吸収するためであるが、一方でアライメントズレによる照明エリアの形の崩れを吸収する意味もある。これは第二フライアイレンズ付近にできる光源像が第二フライアイレンズの目と目の境にできると、照明エリアのエッジ部分の強度分布が図６右５４のようにだれ、照明エリアの境目が不明瞭となる。よってコンデンサレンズなどによって照明エリアを液晶パネルの表示エリアから均等に振り分けて調整する場合に調整が困難となる。
【００２０】
さらに照明光学系においてリレー系を用いている場合は第二フライアイレンズ部分と液晶表示装置部分とさらにもう一箇所結像位置が存在するため、液晶パネル上ではリレー系を用いた色の光路においては照明光が左右上下反転するため、照明エリアのムラも反転してしまう。よって、照明エリアの調整によっては色むらの出やすい結果になってしまう。
【００２１】
このように第二フライアイレンズ付近の光源像が上下左右で設計値と異なる部分に照明されると問題がある。現在の液晶プロジェクタにおいては液晶パネルと偏光を用いているため、照明光の偏光変換をおこなっている。
【００２２】
図８に示すように偏光変換素子は棒状の偏光ビームスプリッタを左右に並べたものであり、第二フライアイレンズ５５付近にできる結像位置に反射面が近くなるように設定される。棒状のビームスプリッタの並べ方は左右でも上下でもかまわない。図８下に示すようにＰＳ変換素子により偏光変換する場合に第二フライアイレンズの光源像が正規の位置に照明されずある角度５８をもって照明されると、偏光変換する面５９への光線入射角度が大きくなり、偏光変換素子の角度依存性から入射側偏光板の偏光の透過光軸の方向とはことなる方向の成分を持った偏光が入射側偏光板まで到達する割合が増してしまう。
【００２３】
これにより、入射側偏光板の吸収する偏光が熱に変わる割合が増加し、結果偏光板が発熱する。またスクリーンに投影される光量も減少する。ＰＳ変換素子の角度依存性は左右方向にも上下方向にもあるため、どちらにアライメントがずれた場合でもこの現象は発生する。偏光板の発熱を防ぐためにＰＳ変換素子付近にすだれ状のマスクであるＰＳ遮光マスク５７を挿入することがある。このＰＳ遮光マスク５７を挿入することで、光源像から比較的遠い部分を通る偏光板まで到達しうる偏光板の吸収軸にて吸収される偏光の割合を減らすことができるので偏光板の温度を低下させることができる。
【００２４】
しかしながら、図９右に示すように光源とリフレクタとの関係にずれが生じて、ＰＳ遮光マスク５７で光源像の中心に近い光線のケラレ６０が発生すると、今度はＰＳすだれ遮光マスク５７が熱を蓄熱し、ＰＳ遮光マスク５７をＰＳ変換素子５６から離したり、冷却が充分でないとＰＳ変換素子の有機反射膜５９等の寿命に影響を及ぼしたりまた極端に光量が落ちる。
【００２５】
また、ＰＳ変換素子のピッチは光学部品の積み重ねで構成されており、公差上、簾の幅の称呼値をＰＳ変換素入射面と同じ寸法にするとＰＳ素子の端では実質の開口部が小さく設定されてしまうことがある。この場合正規の光を入射した場合でも光の量が減少してしまう問題がある。よって理想的にはこれらのＰＳ遮光マスクを使用しないかマスクの開口を充分大きくし、ランプから出射される光をより光軸に平行にし、偏光変換素子に入射する光線角度がなるべく設計値以上にならないように入射することが重要である。
【００２６】
従来例として特開２００２−２４４２０４号公報にはランプを左右方向に調整する例があるが、本発明は上記のような理由からＰＳ遮光マスクを廃止するか、開口部を十分広く設定した場合に照明光軸に平行な光線を入射できるように、ランプ手段から射出される該平行光が該光学系の光軸に対してすくなくとも直交する面内の２方向に回転できる角度調整機構を有するランプ手段が有効である。実際の調整時には図１０で示すような第２フライアイレンズの１つの目を上下左右でふさぐような特別なマスクを第二フライアイレンズ近傍に装着した光学系を用いてランプの調整を行う。マスクの開口は例えばａ：ｂ＝４：３でもとのフライアイレンズの形状と相似形とするとより上下の調整の敏感度が高くなる。
【００２７】
このようにして調整したランプを交換ランプとして用意することで、図１１に示すように従来のランプのばらつき６１よりばらつきは減少し６２となる。液晶プロジェクタの平均明るさも向上する。
【００２８】
次にリフレクタと光源を照明光学系の光軸に対して調整するための機構を図１２に示す。調整保持機構はリフレクタとＬ字部材６５からなる。ホルダ部材およびＬ字体はバネなどの加圧保持部材６７で光軸方向にふせいされており、ホルダ部材もしくはＬ字体の間にくさび状の調整部材６６を設け、これを出し入れすることにより、ランプとＬ字体の間隔を変えることができ、ランプがＬ字体に対して回転する。Ｌ字体には本体光学系との位置決め部３６がある。
【００２９】
Ｌ字体とランプの上下どちらかの２隅に調整駒を出し入れすることにより、上下方向調整を行うことができる。さらに左右に傾けるには調整駒の挿入量を左右で変えることにより、ランプのＬ字体に対する角度が変わるために、左右の調整が可能になる。調整駒のくさびの斜度によって敏感度を下げることができ、調整が容易となる。これはワッシャを用いる場合と比較しても連続的に調整が可能なため、ワッシャを取り替えるたびにランプを消す必要はなく、調整が容易である。
【実施例２】
【００３０】
実施例１においてはランプとＬ字体の間に直接調整駒を配したが、調整保持機構はリフレクタを保持するホルダ部材とリフレクタとホルダ部材が取り付くＬ字部材からなってもよい。ホルダ部材もしくはＬ字体の間にくさび状の調整部材を設け、これを出し入れすることにより、ホルダとＬ字体の間隔を変えることができる。Ｌ字体とホルダ部材の上下どちらかの２隅に調整駒を出し入れすることにより、調整を行うことができる。ランプを下に傾けたい場合はホルダとＬ字体の上部に調整駒を２個挿入する。
【００３１】
さらに左右に傾けるには調整駒の挿入量を左右で変えることにより、Ｌ字体のホルダに対する角度が変わるために、左右の調整が可能になる。調整駒のくさびの斜度によって敏感度を下げることができ、調整が容易となる。ランプをホルダ部材に保持する加圧バネなどを別個使用して、ランプ保持の強度を向上できるため、落下振動に強いランプ手段を構成することができる。
【００３２】
ランプの回転中心はランプ手段より後側、すなわちフライアイレンズや液晶パネルのある側にあった方が、ホルダ及びベース部材の開口部の縁（図１の４０）でのけられが少なくなる。よって本件においてはランプの光源より前、第一フライアイレンズ付近に回転中心を想定している。
【実施例３】
【００３３】
実施例１、２においては調整駒を挿入する方法について述べたが、さらに回転中心を厳密に設定するには図１のＬ字体３５とホルダ部材３３のそれぞれどちらかに球体の軸受け３７と軸３８を持つことにより、自由な回転中心を持つことができる。バネなどの加圧保持手段３９によってホルダ部材とＬ字部材は光軸方向にふせいされており、球体軸３８および軸受け部３７をランプ上部に設けた場合には調整駒はＬ字部材の下部にのみ挿入すればよい。これにより、製品状態でランプを挿入した状態でランプ下部から調整駒を可動させることにより上下左右方向に自由にランプの向きを調整することができる。
【実施例４】
【００３４】
実施例においては、調整駒を可動させることにより、Ｌ字体とホルダ部材の間隔を変えることで調整を行ったが、図１３に示すように調整駒の代わりにビスを用い、ビス６８のリードによる繰り出し量によって、ビスの頭をＬ字体もしくはランプの少なくとも一方にもうけられた斜面に押し当てることにより間隔を変えることができる。ホルダ部材およびＬ字体はバネなどの加圧保持部材６７で光軸方向にふせいされている。
【実施例５】
【００３５】
実施例１〜４においては調整駒を挿入する方法について述べたが、例えば図１の調整駒４２のように調整後は、ビスなどで調整駒を固定する手段があったほうが好ましい。調整駒もしくはＬ字体のどちらかに長穴とビス穴があいており、調整駒により調整後ビスで固定することによって、振動落下衝撃が加わっても調整駒は固定されているため、ランプのズレはおきなくなる。
【実施例６】
【００３６】
図１４に示す方法はドライバ等の先を回転させてランプの位置を可動させ、調整した後にビスなどの固定部材で固定する方法について述べたものである。ホルダ７４とベース部材７５には球体の一部から構成される球体の軸と軸受けが存在し、これを支点にランプが回転する。
【００３７】
さらに調整手段としてはホルダ部材７４とベース部材７５にそれぞれ調整用の対称形状をした穴７０，７１がある。両方の穴の共通する部分にドライバ等の工具を差し込み回転することでホルダ７４とベース部材７５の位置関係を可変することができる。
【００３８】
まず始めに穴７０にドライバ７８を挿入し上下方向を回転調整した後、ビス及びワッシャ７２にて半固定する。次に穴７１にドライバ７８を挿入し調整することにより左右方向の回転調整を行う。調整後にビス及びワッシャ７２，７３にて固定する。これにより治具にランプを組み込んだ状態でも製品にランプを組み込んだ状態で簡易的に調整することができる。
【実施例７】
【００３９】
実施例１〜４におけるランプは図１５に示すように楕円反射鏡をもったリフレクタ７９と光源８０の組み合わせでもかまわない。リフレクタ７９及び光源８０はホルダ部材８１に固定される。また防爆ガラスを兼ねた凹レンズ８２もホルダ部材８１に例えば接着などで固定される。ホルダ部材８１とベース部材８０は球体の一部でできた球体軸受けにて連結されており、バネなどの加圧保持手段によって、光軸に平行な方向へふせいされている。
【００４０】
一方ベース部材８０には照明光学エンジン８５との連結位置決め部分を有している。ホルダ部材８１とベース部材８０の間にくさび状の面を持った調整駒８３を２箇所挿入する。この調整駒を光軸にたいして水平な平面で上下方向に動かす時には両方とも同じ量だけ上下に移動し、左右方向回転する場合には両者を反対の方向に動かすことによって実現することができる。楕円と凹レンズを用いることにより、光学系の部品（特にフライアイレンズ等）を小さくすることができ、小型化及びコストダウンに効果がある。
【００４１】
ランプ手段から射出される主光線が平行な光線であるランプに対して本件は有効である。
【図面の簡単な説明】
【００４２】
【図１】この発明の実施例３におけるランプ手段の側面図、斜視図、断面図である。
【図２】この発明の実施例１〜７における液晶プロジェクタの上面図である。
【図３】この発明の実施例１〜７におけるランプの断面図（アライメントズレのない場合）である。
【図４】従来例におけるランプの断面図（アライメントズレのある場合）である。
【図５】従来例とこの発明の実施例１〜７における第二フライアイレンズ部近傍の光源像である。
【図６】従来例における液晶表示部の照明像である。
【図７】従来例におけるアライメントズレと明るさの関係のグラフである。
【図８】従来例とこの発明の実施例１〜７におけるＰＳ変換素子部の上面図および光路を示したものである。
【図９】従来例とこの発明の実施例１〜７におけるＰＳ変換素子部の正面図である。
【図１０】この発明の実施例１〜７における調整治具用のマスクの形状図である。
【図１１】従来例とこの発明の実施例１〜７におけるランプの明るさと個数のバラツキを示したグラフである。
【図１２】この発明の実施例２におけるランプの調整機構の断面図である。
【図１３】この発明の実施例４におけるランプの調整機構の断面図である。
【図１４】この発明の実施例６におけるランプの調整機構の断面図および底面図である。
【図１５】この発明の実施例７におけるランプの調整機構の斜視図、側面図、断面図である。
【図１６】従来例の図
【符号の説明】
【００４３】
１    光源
２    リフレクタ
３    第一フライアイレンズ
４    第二フライアイレンズ
５    全反射ミラー
６    偏光変換素子
７    コンデンサレンズ
８    青反射ダイクロミラー
９    凹レンズ
１０  凹レンズ
１１  青全反射ミラー
１２  赤透過ダイクロミラー
１３  赤トリミングフィルタ
１４  フィールドレンズ
１５  全反射ミラー
１６  リレーレンズ
１７  全反射ミラー
１８  フィールドレンズ
１９  フィールドレンズ
２０  フィールドレンズ
２１  入射側偏光板
２２  入射側偏光板
２３  入射側偏光板
２４  液晶パネル
２５  液晶パネル（青色パネル）
２６  液晶パネル（青色パネル）
２７  出射側偏光板
２８  出射側偏光板
２９  出射側偏光板
３０  クロスプリズム
３１  投射レンズ
３２  照明光学ボックス
３３  ランプホルダ
３４  リフレクタ
３５  ランプベース
３６  照明光学ボックス位置決め部
３７  球体軸受け
３８  球体軸
３９  押えバネ
４０  ホルダ、ベース開口部
４１  ランプ調整駒
４２  調整駒固定用ビス
４３  ランプバルブ
４４  リフレクタ
４５  光源
４６  バルブ固定用石膏（接着固定部）
４７  アライメントズレ
４８  第二フライアイレンズ
４９  光源像
５０  フライアイレンズの別の目に入った光線
５１  液晶表示エリア
５２  照明エリア
５３  ゴースト照明光
５４  照明強度だれ部
５５  第二フライアイレンズ
５６  ＰＳ変換素子
５７  ＰＳ変換素子マスク
５８  正規の照明光軸との傾き角度
５９  ＰＳ変換素子反射面
６０  ＰＳ変換素子マスクによる光源像のケラレ
６１  ランプ調整しない場合のランプの明るさバラツキ
６２  ランプ調整した場合のランプの明るさバラツキ
６３  アライメントズレ
６４  ランプ光軸と正規の照明光軸のなす角度
６５  ランプベース
６６  ランプ調整駒（くさび状の調整部材）
６７  押えバネ（加圧保持部材）
６８  ランプ調整用ネジ（ビス）
６９  ランプベース
７０  ランプ上下方向用調整穴
７１  ランプ左右方向用調整穴
７２  ランプ固定ビス
７３  ランプ固定ビス
７４  ランプホルダ
７５  球体軸受け
７６  ランプベース
７７  押えバネ
７８  ランプ調整用ドライバ
７９  楕円リフレクタ
８０  ベース部材
８１  ホルダ部材
８２  凹レンズ
８３  ランプ調整駒
８４  球状軸受け
８５  照明光学エンジン
【図１】
2006133656.tif 000003
【図２】
2006133656.tif 000004
【図３】
2006133656.tif 000005
【図４】
2006133656.tif 000006
【図５】
2006133656.tif 000007
【図７】
2006133656.tif 000008
【図８】
2006133656.tif 000009
【図１０】
2006133656.tif 000010
【図１１】
2006133656.tif 000011
【図１２】
2006133656.tif 000012
【図１３】
2006133656.tif 000013
【図１４】
2006133656.tif 000014
【図１５】
2006133656.tif 000015
【図１６】
2006133656.tif 000016
【図６】
2006133656.tif 000017
【図９】
2006133656.tif 000018